(57)【特許請求の範囲】
【請求項１】
前面が開口された貯蔵室の内壁には、棚網を受けるべく棚受金が取り付けられる棚網用棚柱が設けられた貯蔵庫において、
トレイを受けるべくレールが取付可能なトレイ用棚柱が別途備えられ、このトレイ用棚柱は、前記棚網用棚柱の上端開口に係止可能な係止部を備え、かつ前記棚網用棚柱を覆って貯蔵室の内壁に取付可能となっていることを特徴とする貯蔵庫。
【請求項２】
前面が開口された貯蔵室の内壁には、棚網を受けるべく棚受金が取り付けられる棚網用棚柱が設けられた貯蔵庫において、
前記棚網用棚柱を覆ってこの棚網用棚柱に固定可能なパネルが備えられ、このパネルに、トレイを受けるべくレールが取付可能なトレイ用棚柱が設けられていることを特徴とする貯蔵庫。
【請求項３】
前記パネルには、前記棚網用棚柱の上端開口に係止可能な係止部が設けられていることを特徴とする請求項２記載の貯蔵庫。
【請求項４】
前記パネルは、その上下両面が開口されて冷気等を流通させる上下方向のダクトとして利用可能となっていることを特徴とする請求項２記載の貯蔵庫。
【発明の詳細な説明】
【０００１】
【発明の属する技術分野】
本発明は、冷蔵庫等の貯蔵庫に関する。
【０００２】
【従来の技術】
業務用の冷蔵庫で食材を冷蔵保存する場合、一般には食材を棚網上に載せるようにしている。そのため、前面が開口された冷蔵室の左右の側壁、さらには必要に応じて奥壁には棚柱が設けられ、各棚柱に棚受金を取り付けて、棚網を同一段の棚受金にわたって載せることで水平姿勢で支持し、この棚網上に上記のように食材を載せるようになっている。
一方、シートパン、ホテルパン等のいわゆるトレイ上に食材を載せ、トレイごと冷蔵室に出し入れする方法も一部で採用される。この場合は、貯蔵室の左右の側壁にトレイ用の別仕様の棚柱を設け、これらの棚柱を利用して、左右一対のレールを対向状に多段に設け、上記のように食材を載せたトレイをレールに沿って出し入れするようになっている。
【０００３】
ところで、上記のようなトレイ仕様の冷蔵庫を製造する場合は、棚網仕様のものと比べて相対的に製造数が少ないことから、棚網仕様の冷蔵庫を改良して製造される場合がある。端的には棚網用棚柱をトレイ用棚柱に代えるのであるが、そのため従来では、リベットをドリルで外しつつ棚網用棚柱を冷蔵室の壁面から取り外し、壁面にトレイ用棚柱に対応した取付孔を新たに開口したのち、トレイ用棚柱をリベットで取り付けるようにしていた。
【０００４】
【発明が解決しようとする課題】
しかるに従来の方法では、棚網用棚柱を外すこと自体が相当に面倒である上に、リベットをドリルで外す場合に壁面を変形させたり傷付けたりするおそれがあり、また、新たなトレイ用棚柱の取付孔を開口する場合に正確に寸法取りすることが難しくて、左右でずれて取り付けられるおそれがある等、数々の問題点を抱えており、さらなる改良が要望されていた。
本発明は上記のような事情に基づいて完成されたものであって、その目的は、上記の問題点を一掃したトレイ仕様への変更手段を提供するところにある。
【０００５】
【課題を解決するための手段】
上記の目的を達成するための手段として、請求項１の発明は、前面が開口された貯蔵室の内壁には、棚網を受けるべく棚受金が取り付けられる棚網用棚柱が設けられた貯蔵庫において、トレイを受けるべくレールが取付可能なトレイ用棚柱が別途備えられ、このトレイ用棚柱は、前記棚網用棚柱の上端開口に係止可能な係止部を備え、かつ前記棚網用棚柱を覆って貯蔵室の内壁に取付可能となっている構成としたところに特徴を有する。
【０００６】
請求項２の発明は、前面が開口された貯蔵室の内壁には、棚網を受けるべく棚受金が取り付けられる棚網用棚柱が設けられた貯蔵庫において、前記棚網用棚柱を覆ってこの棚網用棚柱に固定可能なパネルが備えられ、このパネルに、トレイを受けるべくレールが取付可能なトレイ用棚柱が設けられているところに特徴を有する。
請求項３の発明は、請求項２に記載のものにおいて、前記パネルには、前記棚網用棚柱の上端開口に係止可能な係止部が設けられているところに特徴を有する。
請求項４の発明は、請求項２に記載のものにおいて、前記パネルは、その上下両面が開口されて冷気等を流通させる上下方向のダクトとして利用可能となっているところに特徴を有する。
【０００７】
【発明の作用及び効果】
＜請求項１の発明＞
トレイ用棚柱は以下のようにして取り付けられる。まず、トレイ用棚柱は係止部を棚網用棚柱の上面開口に係止して吊り下げ状に被せられ、続いて一方の内側縁が棚網用棚柱の側縁に当てられつつ貯蔵室の内壁に押し付けられることで、所定の高さ位置で垂直姿勢を取って位置決めされる。この状態から、トレイ用棚柱に形成された取付孔を利用し、例えばそれをなぞるようにして内壁に取付孔の形成位置が設定される。次に、トレイ用棚柱を一旦外したのち内壁に取付孔が開口され、改めてトレイ用棚柱が、上記と同じ要領で棚網用棚柱を覆って正規の取付位置に当てられ、取付孔同士にリベット等の締結具を装着して締結することで内壁上に取り付けられる。
棚網用棚柱を取り外す必要がないから、作業工数が減少する。また、トレイ用棚柱のための取付孔を設定する場合に、トレイ用棚柱を正規の取付位置に仮組みした状態で設定できるから、取付孔の形成を正確にしかも簡単に行うことができ、ひいてはトレイ用棚柱の取り付けを正確に行うことができる。
【０００８】
＜請求項２の発明＞
パネルが棚網用棚柱を覆って貯蔵室の内壁上に当てられ、棚網用棚柱に対して固定される。このパネル上にトレイ用棚柱が固定される。
棚網用棚柱を取り外す必要がないから、作業工数が減少する。また、トレイ用棚柱のための取付孔を貯蔵室の内壁に開口する必要がないから、壁内に配されている例えば排水パイプ用ヒータのリード線等の部品を損傷させるといったことが未然に防止できる。
＜請求項３の発明＞
パネルが係止部を利用して棚網用棚柱に吊り下げられるから、位置決めがしやすく、またパネルを棚網用棚柱に固定する作業も楽にできる。
＜請求項４の発明＞
パネル自体がダクトに利用できて、貯蔵室内に冷気等を循環させる場合に有効となる。
【０００９】
【発明の実施の形態】
以下、本発明の実施形態を添付図面に基づいて説明する。
＜第１実施形態＞
本発明を冷蔵庫に適用した第１実施形態を図１ないし図５によって説明する。図１において、符号１０は、前面開口の断熱箱体からなる冷蔵庫本体であって、底面の四隅に配された脚１１で支持されるとともに、上面には冷却器等が装備された機械室１２が設けられている。冷蔵庫本体１０内には冷蔵室１３が構成されており、前面開口の中央高さ位置に仕切枠１４がわたされることで上下の出入口１５が形成され、各出入口１５に断熱扉１６が揺動開閉可能に装着されるようになっている。
【００１０】
冷蔵庫は初めは、棚網仕様に製造される。そのため、図１に参照して示すように、冷蔵室１３の左右の側壁１３Ａにおける手前側と奥側の位置に、合計４本の棚網用棚柱２０が設けられている。
棚網用棚柱２０は、図２にも示すように、幅方向の中央部を手前側に突出させた段付き状に形成されており、その突出部２１には、棚受金を適宜高さにおいて着脱可能に取り付けることのできる多数の掛止孔２２が、所定ピッチで形成されている。この棚網用棚柱２０が、上記の突出部２１に設けられたリベット孔２４からリベット２５を打ち込むことで側壁１３Ａに固定されている。
そして、４本の棚網用棚柱２０にわたって同一高さで棚受金が取り付けられ、それらの棚受金に引っ掛けられることよって棚網（図示せず）が水平姿勢で支持され、この棚網上に食材等が載せられるようになっている。
【００１１】
さて、本実施形態の冷蔵庫は、上記の棚網仕様からトレイ仕様に変更して製造されるようになっている。トレイ仕様のものは基本的には、図５に示すように、冷蔵室１３の左右の側壁１３Ａに、Ｌ字形をなす左右一対のレール２７が対向状に多段に設けられ、トレイ２８が両レール２７に沿って出し入れされるようになっている。
そのため、上記した棚網用棚柱２０とは別のトレイ用棚柱３０が準備される。このトレイ用棚柱３０は、棚網用棚柱２０と同様に、幅方向の中央部を手前側に突出させた段付き状に形成されているが、全体的には棚網用棚柱２０と比べて、幅並びに厚さが大型となっており、左右の側壁１３Ａに取り付けられるもの同士で対称形状となっている。
【００１２】
トレイ用棚柱３０の突出部３１は、図４に示すように、棚網用棚柱２０全体の幅の２倍程度の幅を有しており、その表面には、トレイ２８の長さ方向の両端部に設けられた引掛部（図示せず）を掛止する掛止孔３２が、所定ピッチで多段に形成されている。一方、両側縁の取付板３３には、リベット３５を打ち込むためのリベット孔３４が、所定間隔を開けて形成されている。
また、図２に示すように、トレイ用棚柱３０の突出部２１の上面には上面板３６が形成され、左側壁１３Ａに取り付けられるものを例に取ると、上面板３６の奥縁における正面から見た左端寄りの位置に、係止片３７が両取付板３３と面一の位置で下向きに曲げ形成されている。この係止片３７は少し先細りに形成され、棚網用棚柱２０における突出部２１の上面開口２１Ａにほぼ緊密に挿入可能となっており、係止片３７が突出部２１の上面開口２１Ａ内の正規位置に挿入されると、図４に示すように、トレイ用棚柱３０の突出部３１の正面から見た左内側面３１Ａが、棚網用棚柱２０の左側縁２０Ａに当たる設定となっている。
なお、右側壁１３Ａに取り付けられるトレイ用棚柱３０では、上面板３６の奥縁における正面から見た右端寄りの位置に係止片３７が形成されている。
【００１３】
続いて、トレイ仕様に変更する手順の一例を説明する。
まずトレイ用棚柱３０が準備され、図３の矢線に示すように、係止片３７を既設の棚網用棚柱２０の上面開口２１Ａに係止して吊り下げ状に被せられ、続いて図４に示すように、突出部２１の位置決め用の内側面３１Ａが、棚網用棚柱２０の対応する側縁２０Ａに当てられつつ冷蔵室１３の側壁１３Ａに押し付けられることで、トレイ用棚柱３０は所定の高さ位置で垂直姿勢を取って位置決めされる。この状態から、トレイ用棚柱３０の取付板３３に形成されたリベット孔３４をなぞるようにして、図１に示すように、側壁１３Ａに取付孔３９の形成位置の目印が設定される。次に、トレイ用棚柱３０が一旦外され、側壁１３Ａに対して目印を利用して取付孔３９が開口される。これが、トレイ用棚柱３０が取り付けられる４箇所において行われる。
【００１４】
そうしたらトレイ用棚柱３０が、上記と同じ要領で改めて対応する棚網用棚柱２０を覆って正規の取付位置に当てられ、リベット孔３４からこれと整合した側壁１３Ａ上の取付孔３９にわたってリベット３５が打ち込まれることで、トレイ用棚柱３０が側壁１３Ａ上に取り付けられる。
４本のトレイ用棚柱３０が取り付けられたら、図５に示すように、対をなすレール２７が、両端の引掛部を掛止孔３２に引っ掛けつつ、右側と左側においてそれぞれ手前と奥のトレイ用棚柱３０の間に差し渡され、同一高さで対向状に支持され、このレール２７の対が複数段にわたって配される。そして、食材を載せたトレイ２８が、その両側縁を対をなす両レール２７に載せつつ出し入れされるようなっている。
【００１５】
以上説明したように本実施形態によれば、棚網仕様をトレイ仕様に変更するに当たり、棚網用棚柱２０を取り外す必要がないから、作業工数が減少する。また、トレイ用棚柱３０のための取付孔３９を設定する場合に、トレイ用棚柱３０を正規の取付位置に仮組みした状態で設定できるから、取付孔３９の形成を正確にしかも簡単に行うことができ、ひいてはトレイ用棚柱３０の取り付けを正確に行うことができる。トレイ用棚柱３０をリベット３５で止める場合、トレイ用棚柱３０が吊り下げ支持されていることから、リベット３５で止める作業がしやすい等、数々の利点を得ることができる。
【００１６】
＜第２実施形態＞
次に、本発明の第２実施形態を図６ないし図８によって説明する。
この第２実施形態の冷蔵庫では、冷蔵室１３の左右の側壁１３Ａにおける手前側の位置と、奥壁１３Ｂの左右両端部の都合４箇所に棚網用棚柱２０が設けられている。
係る冷蔵庫をトレイ仕様に変更する手段として、４本のトレイ用棚柱３０Ａと左右一対のパネル４０とが設けられている。トレイ用棚柱３０Ａは概ね、上記第１実施形態のトレイ用棚柱３０から上面板３６と係止片３７とが除去された形状に形成されている。
【００１７】
パネル４０自体は浅皿状に形成されており、図７に示すように、冷蔵室１３の側壁１３Ａの棚網用棚柱２０の取付位置から、奥壁１３Ｂにおける棚網用棚柱２０の取付位置までを覆えるような平面Ｌ字形に曲げ形成されている。このパネル４０における側壁１３Ａへの装着面４１の手前側の端縁と、奥壁１３Ｂへの装着面４２の端縁とが、それぞれ棚網用棚柱２０に当接されるようになっており、両当接面４１Ａ，４２Ａには、ねじ４３の挿通用に長孔４４が複数個ずつ形成されている。
また、パネル４０における側壁１３Ａへの装着面４１には、その手前側と奥側の２箇所において、それぞれトレイ用棚柱３０Ａが取り付けられるようになっており、両取付領域には、トレイ用棚柱３０Ａの取付板３３に形成されたリベット孔３４と整合して取付孔４６が開口されている。
【００１８】
第２実施形態におけるトレイ仕様に変更する手順を説明する。
各パネル４０が、冷蔵室１３の側壁１３Ａから奥壁１３Ｂの一部にわたって宛われ、それぞれの当接面４１Ａ，４２Ａが棚網用棚柱２０に当てられる。ここで、棚網用棚柱２０の掛止孔２２（図２参照）がねじ孔として利用され、長孔４４に通されたねじ４３が掛止孔２２にねじ込まれることにより、パネル４０が棚網用棚柱２０に対して固定され、図７に示すように、冷蔵室１３の側壁１３Ａから奥壁１３Ｂの一部にわたって装着される。
このようにパネル４０が装着されたら、トレイ用棚柱３０Ａがパネル４０上の取付領域に当てられ、リベット孔３４からこれと整合した取付孔４６にわたってリベット４７が打ち込まれることで、トレイ用棚柱３０Ａがパネル４０上に取り付けられる。
【００１９】
第２実施形態によれば、棚網仕様をトレイ仕様に変更するに当たり、棚網用棚柱２０を取り外す必要がないから、作業工数が減少する。また、トレイ用棚柱３０Ａをリベット止めするための取付孔４６を、冷蔵室１３の側壁１３Ａに開口する必要がないから、壁内に配されている例えば排水パイプ用ヒータのリード線等の部品を損傷させるといったことが未然に防止できる。
なお、パネル４０の上面板４８と下面板４９とを切除して上下両面を開口すると、パネル４０自体がダクトに利用でき、トレイによって塞がれ勝ちとなる冷気通路が確保できて、冷蔵室１３内に冷気を良好に循環供給することができる。この開口を形成するに当たり、上面板４８、下面板４９を単に切除するのではなく、トレイ用棚柱３０Ａの取付面（装着面４１）の裏面側に折り重ねると、取付面の補強を図ることができる。
【００２０】
＜第３実施形態＞
図９および図１０は本発明の第３実施形態を示す。
トレイ仕様の冷蔵庫では、トレイ２８（図５参照）をレール２７に沿って入れた場合に冷蔵室１３の奥壁１３Ｂにぶつけることがあるため、補強することが望ましい。この第３実施形態では、奥壁１３Ｂに設けられた棚網用棚柱２０を利用して補強することを意図している。
そのため、補強パネル５０が備えられる。補強パネル５０自体は浅皿状に形成されており、冷蔵室１３の奥壁１３Ｂの左右の棚網用棚柱２０の取付位置を覆うことが可能な大きさに形成されている。この補強パネル５０の左右の側縁が、棚網用棚柱２０に当接されるようになっており、両当接面５１には、ねじ５２の挿通孔５３が複数個ずつ形成されている。また、上面板５５における奥縁の左右両端部からは、図１０に示すように、棚網用棚柱２０における突出部２１の上面開口２１Ａに挿入可能な係止片５６が、下向きに曲げ形成されている。
【００２１】
補強パネル５０を取り付けるには、左右の係止片５６が左右の棚網用棚柱２０の上面開口２１Ａに係止して吊り下げ状に被せられ、それぞれの当接面５１が棚網用棚柱２０に当てられる。ここで、同様に棚網用棚柱２０の掛止孔２２がねじ孔として利用され、挿通孔５３に通されたねじ５２が掛止孔２２（ねじ孔）にねじ込まれることにより、補強パネル５０が棚網用棚柱２０の前面に張られた状態となる。
補強パネル５０を取り付けるに当たり、既設の棚網用棚柱２０をそのまま利用したから、冷蔵庫の設置現場でも対応可能である。補強パネル５０が棚網用棚柱２０に吊り下げ支持できるようになっているから、位置決めが楽であり、またねじ５２で止める作業も簡単に行うことができる。
【００２２】
図１１は、変形例になる補強パネル６０を示しており、端的には、幅方向の中央部において、手前側に突出されたストッパ突条６１が形成されている。このストッパ突条６１は、棚網用棚柱２０にねじ５２で止められる当接面６２よりも手前に突出しており、ストッパ突条６１の両側の当接面６２までの領域は逆に奥側に引っ込んでいる。
この補強パネル６０を使用した場合は、トレイ２８（図５参照）がストッパ突条６１に当たって挿入が規制されることになるから、トレイ２８の奥縁と補強パネル６０との間に、広い冷気通路が確保できる利点が得られる。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）第３実施形態に例示したように、補強パネルに棚棚用棚柱の上面開口に挿入される係止片を設けた構造を、第２実施形態におけるトレイ用棚柱を取り付けるパネルに採用してもよい。この構造によれば、パネルを棚網用棚柱に吊り下げて支持できるから、位置決めがしやすく、またパネルを棚網用棚柱に固定する作業も簡単にできる。
（２）トレイ用棚柱を冷蔵室の壁面やパネルに取り付ける場合に、リベットに代えてねじ等の他の締結具を使用してもよい。
（３）本発明は上記実施形態に例示した冷蔵庫に限らず、冷凍庫、温蔵庫等、要は、棚網仕様からトレイ仕様に改良して製造し得る形式の貯蔵庫全般に広く適用することができる。
【図面の簡単な説明】
【図１】  本発明の第１実施形態に係るトレイ用棚柱の取付手順を説明するための側断面図
【図２】  トレイ用棚柱の取付構造を示す部分分解斜視図
【図３】  トレイ用棚柱の吊り下げ構造を示す部分断面図
【図４】  トレイ用棚柱の仮組状態を示す部分正面図
【図５】  トレイ仕様に変更された状態の側断面図
【図６】  本発明の第２実施形態に係るパネルの斜視図
【図７】  トレイ仕様に変更された状態の平断面図
【図８】  その斜視図
【図９】  第３実施形態に係る補強パネルの取付構造を示す斜視図
【図１０】  その断面図
【図１１】  変形例になる補強パネルの取付状態を示す斜視図
【符号の説明】
１３…冷蔵室  １３Ａ…（冷蔵室１３の）側壁  １３Ｂ…（冷蔵室１３の）奥壁  ２０…棚網用棚柱  ２０Ａ…（棚網用棚柱２０の）側縁  ２１Ａ…（棚網用棚柱２０の）上面開口  ２７…レール  ２８…トレイ  ３０，３０Ａ…トレイ用棚柱  ３１…突出部  ３１Ａ…（突出部２１の位置決め用の）内側面  ３３…取付板  ３４…リベット孔  ３５…リベット  ３７…係止片  ３９…取付孔  ４０…パネル
【図１】
0003920114.tif 000002
【図２】
0003920114.tif 000003
【図３】
0003920114.tif 000004
【図４】
0003920114.tif 000005
【図５】
0003920114.tif 000006
【図６】
0003920114.tif 000007
【図７】
0003920114.tif 000008
【図８】
0003920114.tif 000009
【図９】
0003920114.tif 000010
【図１０】
0003920114.tif 000011
【図１１】
0003920114.tif 000012